(57)【要約】【課題】穿孔手段を移動させる必要がなく、且つ大型化することのない冷温水器を提供する。【解決手段】冷温水器は、浄水された水が収容された容器と、上記容器の下部に配置されて上記浄水された水が流入可能であり、上記浄水された水を保管又は排出することができる冷水タンクと、上記冷水タンクに連通可能に装着されており、上記容器を貫通するニードル及び上記ニードルの一側に形成された上記浄水された水の流入口を具備する穿孔手段と、上記穿孔手段の外側に配置されて上記容器が上記穿孔手段に向かって上下移動するようにすることができる容器移動手段と、を含み、上記容器移動手段は、上記容器を上記ニードルによる穿孔位置に案内することができる。【選択図】図１
2015083489.tif 000002
【特許請求の範囲】
【請求項１】
浄水された水が収容される容器と、
前記容器の下部に配置されて前記浄水された水が流入可能であり、前記浄水された水を保管又は排出することができる冷水タンクと、
前記冷水タンクに連通可能に装着されており、前記容器を貫通するニードル及び前記ニードルの一側に形成された前記浄水された水の流入口を具備する穿孔手段と、
前記穿孔手段の外側に配置されて前記容器が前記穿孔手段に向かって上下移動するようにすることができる容器移動手段と、
を含み、
前記容器移動手段は、前記容器の穿孔位置が前記穿孔手段のニードルに案内されるようにすることができる冷温水器。
【請求項２】
前記容器移動手段は、
前記容器の下部に配置されて前記容器を支持する第１支持要素と、
前記第１支持要素の一側に装着されて前記第１支持要素を移動させるレバーと、
前記第１支持要素の外側に設けられており、前記レバーの移動経路を案内する溝が形成された第２支持要素と、
を含む請求項１に記載の冷温水器。
【請求項３】
前記溝は、前記第２支持要素の周囲に沿って傾斜するように形成されており、前記溝に沿って前記レバーが移動するのに伴って前記第１支持要素及び前記容器の高低を変更することができる請求項２に記載の冷温水器。
【請求項４】
前記レバーが前記溝の上部位置から前記溝の下部位置に移動するのに伴って前記容器が前記穿孔手段に接近し、前記レバーが前記溝の下部位置から前記溝の上部位置に移動するのに伴って前記容器が前記穿孔手段から離れる請求項２に記載の冷温水器。
【請求項５】
前記第１支持要素の上部には、維持要素が設けられており、前記維持要素により、前記容器を前記第１支持要素上に装着することができる請求項２に記載の冷温水器。
【請求項６】
浄水された水が貯蔵される容器を支持する第１支持要素と、
前記第１支持要素の一側に装着されて前記第１支持要素を移動させるレバーと、
前記第１支持要素の外側に設けられており、前記レバーの移動経路を案内する溝が形成された第２支持要素と、
を含み、
前記溝は、前記第２支持要素の周囲に沿って傾斜するように形成されており、前記溝に沿って前記レバーが移動するのに伴って前記第１支持要素及び前記容器の高低を調節することができる冷温水器。
【請求項７】
前記容器の下部には、前記容器を貫通するニードルを具備した穿孔手段が配置されており、前記穿孔手段のニードルは、固定されたままの状態において維持される請求項６に記載の冷温水器。
【発明の詳細な説明】
【技術分野】
【０００１】
本発明は、冷温水器（ＣＯＬＤ  ＡＮＤ  ＨＯＴ  ＷＡＴＥＲ  ＰＵＲＩＦＩＥＲ）に関する。更に詳しくは、本発明は、浄水された水が収容された容器を冷温水器に対して正確に装着させることができる冷温水器に関する。
【背景技術】
【０００２】
最近、産業化及び公害物質による水質汚染の深刻化に起因した水道水に対する不信感の高まりに伴って、水道水を浄水器によって浄化して飲料水として使用したり、或いは、市販されている生水が飲料水として広く使用されている。
【０００３】
一般的に使用されている浄水器は、水道水を複数のフィルタに通し、沈殿、濾過、殺菌などの過程を経て水道水に含有されている重金属及びその他の有害物質を除去することができるようになっており、浄化された水を所定の温度に冷却又は加熱して冷水及び温水を選択的に飲用できるようになっている。
【０００４】
このような浄水器は、浄水方式に応じて、自然濾過式、直列濾過式、イオン交換樹脂式、及び逆浸透圧式浄水器などに大別するこが可能であり、このような浄水器は、一般家庭用及び事業所用のみならず、最先端の科学産業や超精密電子部品の洗浄用又は医療用としても広く使用されている。
【０００５】
これらの中で、一般家庭や事業所において使用されている通常の浄水器は、本体の内部に給水管を通じて供給される原水中に含まれている異物を除去して浄化する複数のフィルタと、上記複数のフィルタを順番に通過することによって浄化された浄水を貯蔵する浄水貯蔵タンクと、上記浄水貯蔵タンクの浄水の供給をそれぞれが受けて加熱及び冷却する温水タンク及び冷水タンクと、を有する。
【０００６】
このように浄水器の使用が一般化するのに伴って、浄水器に対する多様な研究開発が行われている。例えば、特許文献１は、浄水器用フィルタ洗浄装置について開示している。
【０００７】
さらに、特許文献２には、ＢＩＢ（バッグ・イン・ボックス）タイプの飲料容器を使用した冷温水器が開示されている。特許文献２における飲料容器の接続構造は、鋭利な先端を備えた穿孔手段と、第一筒体に対して回動可能な第二筒体とを含んでいる。そして、第二筒体に固定されたハンドルで第二筒体を回動させることにより穿孔手段を鉛直方向上方に移動させ、それにより、穿孔手段が飲料容器を穿孔するようになる。
【先行技術文献】
【特許文献】
【０００８】
【特許文献１】韓国特許公開公報第１０２０１３００２９９７６号
【特許文献２】特開２０１１−１０２１４６号公報
【発明の概要】
【発明が解決しようとする課題】
【０００９】
しかしながら、特許文献２の構成では、穿孔手段を移動させているので、飲料容器を穿孔するときに追加の力が必要となり、また、構造的に複雑になる。
【００１０】
また、他の従来技術では、飲料容器を支持板上に載置し、支持板の一端に設けられた回転軸回りに支持板を回動させ、それにより、穿孔手段が飲料容器を穿孔するようにしている。しかしながら、この場合には、飲料容器を回動させるためのスペースが必要となり、冷温水器が大型化する。
【００１１】
本発明の一実施例に伴う目的は、穿孔手段を移動させる必要がなく、且つ大型化することのない冷温水器を提供することにある。
【００１２】
一実施例に伴う目的は、浄水された水が収容される容器が固定されるように設けられる穿孔手段により、常に一定の位置に穿孔することができる冷温水器を提供することにある。
【００１３】
一実施例に伴う目的は、穿孔手段による穿孔時に発生しうる誤りを減少させて正確性を向上させることができる冷温水器を提供することにある。
【００１４】
一実施例に伴う目的は、比較的簡単な構造の容器移動手段によって容器を穿孔手段のニードルによる穿孔位置に案内することができる冷温水器を提供することにある。
【００１５】
一実施例に伴う目的は、容器が穿孔手段によって穿孔されるときに容器と穿孔手段の間の密接な接触が維持されて細菌及び異物の浸透を防止することができる冷温水器を提供することにある。
【課題を解決するための手段】
【００１６】
上記目的を達成するための一実施例による冷温水器は、浄水された水が収容された容器と、上記容器の下部に配置されて上記浄水された水が流入することが可能であり、上記浄水された水を保管又は排出することができる冷水タンクと、上記冷水タンクに連通可能に装着されており、上記容器を貫通するニードル及び上記ニードルの一側に形成された上記浄水された水の流入口を具備する穿孔手段と、上記穿孔手段の外側に配置されて上記容器が上記穿孔手段に向かって上下移動するようにすることができる容器移動手段と、を含み、上記容器移動手段は、上記容器の穿孔位置が上記穿孔手段のニードルに案内されるようにすることができる。
一態様によれば、上記容器移動手段は、上記容器の下部に配置されて上記容器を支持する第１支持要素と、上記第１支持要素の一側に装着されて上記第１支持要素を移動させるレバーと、上記第１支持要素の外側に設けられており、上記レバーの移動経路を案内する溝が形成された第２支持要素と、を含むことができる。
一態様によれば、上記溝は、上記第２支持要素の周囲に沿って傾斜するように形成されており、上記溝に沿って上記レバーが移動するのに伴って上記第１支持要素及び上記容器の高低を変更することができる。
一態様によれば、上記レバーが上記溝の上部位置から上記溝の下部位置に移動するのに伴って、上記容器は、上記穿孔手段に接近し、上記レバーが上記溝の下部位置から上記溝の上部位置に移動するのに伴って、上記容器は、上記穿孔手段から離れることができる。
一態様によれば、上記第１支持要素の上部には、維持要素が設けられており、上記維持要素により、上記容器を上記第１支持要素上に装着することができる。
上記目的を達成するための一実施例による冷温水器は、浄水された水が貯蔵される容器を支持する第１支持要素と、上記第１支持要素の一側に装着されて上記第１支持要素を移動させるレバーと、上記第１支持要素の外側に設けられており、上記レバーの移動経路を案内する溝が形成された第２支持要素と、を含み、上記溝は、上記第２支持要素の周囲に沿って傾斜するように形成されており、上記溝に沿って上記レバーが移動するのに伴って上記第１支持要素及び上記容器の高低を調節することができる。
一態様によれば、上記容器の下部には、上記容器を貫通するニードルを具備した穿孔手段が配置されており、上記穿孔手段のニードルは、固定されたままの状態において維持することができる。
【発明の効果】
【００１７】
一実施例による冷温水器によれば、浄水された水が収容される容器が固定されるように設けられる穿孔手段により、常に一定の位置に穿孔することができる。
一実施例による冷温水器によれば、穿孔手段による穿孔時に発生しうる誤りを減少させて正確性を向上させることができる。
一実施例による冷温水器によれば、比較的簡単な構造の容器移動手段により、容器を穿孔手段のニードルによる穿孔位置に案内することができる。
一実施例による冷温水器によれば、容器が穿孔手段によって穿孔されるときに容器と穿孔手段の間の密接な接触が維持されることにより、細菌及び異物の浸透を防止することができる。
【図面の簡単な説明】
【００１８】
【図１】一実施例による冷温水器の構成を概略的に図示する。
【図２】一実施例による冷温水器の容器移動手段を図示する。
【図３】一実施例による冷温水器の容器移動手段に容器が装着された様子を図示する。
【図４】一実施例による冷温水器の容器が穿孔手段によって穿孔される様子を図示する。
【発明を実施するための形態】
【００１９】
以下、添付図面を参照し、本発明による実施例について詳細に説明する。但し、本発明は、実施例に制限又は限定されるものではない。各図面に提示されている同一の参照符号は、同一の部材を表す。
図１は、一実施例による冷温水器の構成を概略的に図示しており、図２は、一実施例による冷温水器の容器移動手段を図示しており、図３は、一実施例による冷温水器の容器移動手段に容器が装着された様子を図示しており、図４は、一実施例による冷温水器の容器が穿孔手段によって穿孔される様子を図示している。図１〜図３を参照すれば、一実施例による冷温水器（１０）は、容器（１００）と、冷水タンク（２００）と、穿孔手段（３００）と、容器移動手段（４００）と、を含むことができる。
【００２０】
上記容器（１００）は、浄水された水を収容することができる。
【００２１】
例えば、容器（１００）は、ＢＩＢ  ＢＯＸ、即ち、バッグインボックス（ｂａｇ  ｉｎ  ｂｏｘ）として設けることが可能であり、これは、水、ジュース、ワインなどの液状製品をガラス瓶やペットボトルではないソフトなクリーンバッグに充填し、これを再びボックスに入れる包装方式をいう。バッグインボックスは、大容量の液状製品を衛生的に新鮮な状態で保全することが可能であり、開封の後にも、空気との接触がほとんどなく、このような状態を長期間にわたって維持することができる。
【００２２】
このような容器（１００）に浄水された水を保管することにより、浄水された水をきれいな状態で一定期間にわたって維持することができる。
【００２３】
又、容器（１００）には、浄水された水を排出又は流入させることができる開口（１１０）を設けることが可能であり、開口は、後述する穿孔手段（３００）によって穿孔することができる材質によって設けられた膜によって一時的に閉鎖することができる。
【００２４】
上記容器（１００）の下部には、冷水タンク（２００）を配置することができる。
【００２５】
上記冷水タンク（２００）は、容器（１００）から供給された浄水された水を冷却装置（図示されてはいない）によって冷却した後に、冷却された水を保管又は排出することができる。
【００２６】
図１には、冷水タンク（２００）が所定の容量を有するタンクの形態を有するものとして図示されているが、これに限定されるものではない。
【００２７】
又、容器（１００）と冷水タンク（２００）の間には、容器（１００）内の浄水された水が冷水タンク（２００）に流入することができるように穿孔手段（３００）を配置することができる。
【００２８】
上記穿孔手段（３００）は、容器（１００）の下部に、例えば、容器（１００）の穿孔位置の下部に、固定されるように、設けることができる。
【００２９】
このときに、容器（１００）の穿孔位置とは、容器（１００）の入口において穿孔手段（３００）によって穿孔される位置を意味しており、例えば、容器（１００）の穿孔位置は、容器（１００）の入口の中央部分であってもよい。
【００３０】
穿孔手段（３００）は、図３に図示されているように、長さ方向に延在するように設けられた本体（３１０）と、上記本体（３１０）の上端に位置して容器（１００）を貫通することができるように設けられたニードル（３２０）と、から構成することができる。
【００３１】
上記ニードル（３２０）の一側には、浄水された水の流入口（３３０）が形成されており、容器（１００）がニードル（３２０）によって穿孔されたときに、流入口（３３０）を通じて、容器（１００）内の浄水された水が流入することができる。
【００３２】
更には、穿孔手段（３００）が冷水タンク（２００）に対して連通可能に装着されているため、流入口（３３０）に流入した浄水された水を冷水タンク（２００）に伝達することができる。
【００３３】
このように形成された穿孔手段（３００）によって容器（１００）が穿孔されることにより、容器（１００）内の浄水された水を冷水タンク（２００）に流入させることが可能であり、穿孔手段（３００）が固定されるように設けられていることから、容器（１００）を確実に穿孔することができる。
【００３４】
上記穿孔手段（３００）の外側には、容器移動手段（４００）を配置することができる。
【００３５】
上記容器移動手段（４００）は、浄水された水が収容された容器（１００）を穿孔手段（３００）に向かって上下移動させる役割を果たす。
【００３６】
特に、図２を参照すれば、容器移動手段（４００）は、第１支持要素（４１０）と、レバー（４２０）と、第２支持要素（４３０）と、を含むことができる。
【００３７】
上記第１支持要素（４１０）は、容器（１００）の下部に配置されることにより、容器（１００）を支持することができる。
【００３８】
又、第１支持要素（４１０）の上部に維持要素（４１２）を設けることにより、維持要素（４１２）によって容器（１００）を装着することができる。
【００３９】
特に、図３を参照すれば、容器（１００）から突出して入口が形成されているが、突出した部分が入口の直径よりも小さく形成されている場合には、維持要素（４１２）は、容器（１００）の突出した部分の直径に対応する大きさで設けられた孔であってもよく、維持要素（４１２）に容器（１００）の突出した部分を嵌め込んで固定することができる。
【００４０】
上記第１支持要素（４１０）の一側には、第１支持要素（４１０）を移動させるレバー（４２０）を装着することができる。
【００４１】
上記レバー（４２０）は、円柱形状の本体（４２２）と、球形状の取っ手（４２４）と、から形成することが可能であり、取っ手（４２４）により、手動でレバー（４２０）を移動させることができる。
【００４２】
このときには、レバー（４２０）の移動により、第１支持要素（４１０）の移動が惹起されることになり、第１支持要素（４１０）の移動方向は、レバー（４２０）の移動方向によって決定される。
【００４３】
これにより、第１支持要素（４１０）上に容器（１００）が装着された場合に、レバー（４２０）の移動により、第１支持要素（４１０）の、最終的には、容器（１００）の、移動を惹起させることができる。
【００４４】
又、第１支持要素（４１０）の外側には、第２支持要素（４３０）を設けることができる。
【００４５】
上記第２支持要素（４３０）には、レバー（４２０）の移動経路を案内する溝（４３２）を形成することができる。
【００４６】
上記溝（４３２）は、第２支持要素（４３０）の周囲に沿って傾斜するように形成することができる。
【００４７】
但し、溝（４３２）の形状は、これに限定されるものではなく、レバー（４２０）によって容器（１００）を上下方向に移動させることができる形状であれば、どのようなものであっても可能である。
【００４８】
例えば、溝（４３２）は、第２支持要素（４３０）の長さ方向に沿って垂直に形成することができる。このときには、溝（４３２）の長さは、図２に図示されている溝（４３２）の長さよりも短く形成することができる。
【００４９】
又、第２支持要素（４３０）の溝（４３２）の形状、例えば、溝（４３２）の長さ又は傾きは、穿孔手段（３００）と第１支持要素（４１０）に装着された容器（１００）の間の距離によって決定することができる。これは、第２支持要素（４３０）の溝（４３２）の役割が、究極的には容器（１００）の高低を調節することにあるためである。
【００５０】
上記レバー（４２０）が第２支持要素（４３０）の溝（４３２）に従って移動すると、レバー（４２０）が装着された第１支持要素（４１０）も、これに沿って移動することになり、第１支持要素（４１０）上に装着された容器（１００）も、一緒に移動することになる。
【００５１】
例えば、溝（４３２）が第２支持要素（４３０）の周囲に沿って傾斜するように形成されているため、レバー（４２０）が溝（４３２）に沿って移動すると、第１支持要素（４１０）は、レバー（４２０）によって回転するのに伴って高さが低くなるか又は高くなり、第１支持要素（４１０）上に装着されている容器（１００）も、回転するのに伴って高さが低くなるか又は高くなることができる。
【００５２】
具体的には、図４を参照すれば、容器（１００）は、穿孔手段（３００）により、次のように穿孔することができる。
【００５３】
レバー（４２０）が第２支持要素（４３０）の溝（４３２）の下部位置に位置した場合に、容器（１００）を穿孔手段（３００）のニードル（３２０）によって穿孔することができる。
【００５４】
即ち、レバー（４２０）が第２支持要素（４３０）の溝（４３２）に沿って上部位置から下部位置に移動するのに伴って、レバー（４２０）が装着された第１支持要素（４１０）の高さも低くなることになり、第１支持要素（４１０）上に装着されている容器（１００）の高さを低くすることができる。
【００５５】
これにより、固定されている穿孔手段（３００）のニードル（３２０）に容器（１００）又は容器（１００）の入口が接触することになり、このようにして開始された容器（１００）の穿孔は、容器（１００）内に収容されている浄水された水の重力によって促進することができる。
【００５６】
これとは対照的に、レバー（４２０）が第２支持要素（４３０）の溝（４３２）の上部位置に位置した場合には、容器（１００）は、穿孔手段（３００）のニードル（３２０）から離れて位置することができる。
【００５７】
即ち、レバー（４２０）が第２支持要素（４３０）の溝（４３２）に沿って下部位置から上部位置に移動するのに伴って、レバー（４２０）が装着されている第１支持要素（４１０）の高さも高くなることになり、第１支持要素（４１０）上に装着されている容器（１００）の高さを高くすることができる。
【００５８】
これにより、穿孔手段（３００）と容器（１００）の間の距離を離すことができる。
【００５９】
例えば、容器（１００）内の浄水された水がすべて使用された場合には、レバー（４２０）を上部位置に移動させることにより、容器（１００）の交換のために、穿孔手段（３００）のニードル（３２０）から容器（１００）を分離することができる。
【００６０】
このように形成された容器移動手段（４００）により、使用者の利便に合わせて比較的容易に容器（１００）を冷温水器（１０）に装着又は分離することが可能であり、容器（１００）の穿孔を正確且つ容易に行うことができる。
【００６１】
このため、一実施例による冷温水器は、容器の穿孔位置に比較的正確に穿孔することが可能であり、容器の穿孔時に発生しうる誤りを減少させることができる。更には、容器移動手段にレバー方式を採用することにより、使用者は、容易に容器を交換又は装着することが可能であり、容器と穿孔手段の間の密接な接触が維持されることにより、細菌及び異物の浸透を防止することができる。
【００６２】
以上のように、本発明の実施例においては、具体的な構成要素などの特定の事項及び限定された実施例及び図面によって説明しているが、これは、本発明の全般的な理解を支援するべく提供されたものに過ぎず、本発明は、上記の実施例に限定されるものではなく、本発明が属する分野において通常の知識を有するものであれば、このような記載から、多様な修正及び変形が可能である。従って、本発明の思想は、説明した実施例に限定されるものではなく、後述する特許請求の範囲のみならず、この特許請求の範囲と均等又は等価な変形が存在するすべてのものが本発明の思想の範囲に属するものと解釈されたい。
【符号の説明】
【００６３】
１０    冷温水器
１００    容器
２００    冷水タンク
３００    穿孔手段
３１０    本体
３２０    ニードル
３３０    流入口
４００    容器移動手段
４１０    第１支持要素
４１２    維持要素
４２０    レバー
４２２    本体
４２４    取っ手
４３０    第２支持要素
４３２    溝
【図１】
2015083489.tif 000003
【図２】
2015083489.tif 000004
【図３】
2015083489.tif 000005
【図４】
2015083489.tif 000006